(57)【要約】      （修正有）【課題】利便性がよく、様々な種類の試料を安全に分析可能な発光分析装置を提供する。【解決手段】発光スタンドの内部で、開口部と対向する位置に設置された対向電極と、開口部を塞ぐように試料を当接するための試料押さえ機構と、試料の下面と対向電極との間で放電を行うことで発生した発光光を検出する光検出器と、発光光に基づいて、試料中に含まれる元素を分析する制御部とを備え、試料押さえ機構が、上方に移動して試料の上面を下方に押圧することで、開口部を塞ぐように試料の下面を当接させる試料押棒４１と、試料押棒４１の上方への移動に連動して、ＯＮ／ＯＦＦ信号を制御部に出力するスイッチ４４とを備え、制御部は、スイッチ４４から出力されるＯＮ／ＯＦＦ信号に基づいて、試料の下面と対向電極との間で放電を行うか否かを判定する構成とする。【選択図】図４
2018054422.tif 000002
【特許請求の範囲】
【請求項１】
開口部が形成されている発光スタンドと、
前記発光スタンドの内部で、前記開口部と対向する位置に設置された対向電極と、
前記開口部を塞ぐように試料を当接するための試料押さえ機構と、
前記試料の下面と前記対向電極との間で放電を行うことで発生した発光光を検出する光検出器と、
前記発光光に基づいて、前記試料中に含まれる元素を分析する制御部とを備える発光分析装置であって、
前記試料押さえ機構が、上方に移動して前記試料の上面を下方に押圧することで、前記試料の下面を前記開口部を塞ぐように当接させる試料押棒と、
前記試料押棒の上方への移動に連動して、ＯＮ／ＯＦＦ信号を前記制御部に出力するスイッチとを備え、
前記制御部は、前記スイッチから出力されるＯＮ／ＯＦＦ信号に基づいて、前記試料の下面と前記対向電極との間で放電を行うか否かを判定することを特徴とする発光分析装置。
【請求項２】
前記スイッチは、前記試料押棒が上方に移動することで、ＯＮ信号を出力して、
前記制御部は、前記ＯＮ信号が入力されることで、前記試料の下面と前記対向電極との間で放電を行うことを可能にすることを特徴とする請求項１に記載の発光分析装置。
【請求項３】
前記試料押さえ機構は、中央部に回転軸が形成され、前記試料押棒の上端部に右端部が連結された水平連結部材と、
中央部に回転軸が形成され、前記水平連結部材の左端部に下端部が連結されるとともに前記スイッチのボタンに上端部が連結される垂直連結部材と、
前記水平連結部材の左端部が上方に移動するように作用する弾性体とを備えることを特徴とする請求項２に記載の発光分析装置。
【請求項４】
前記試料押棒は、鉛直方向に対して傾斜していることを特徴とする請求項１〜請求項３のいずれか１項に記載の発光分析装置。
【発明の詳細な説明】
【技術分野】
【０００１】
本発明は、スパーク放電、アーク放電、誘導結合プラズマ（ＩＣＰ；Inductively Coupled Plasma）放電等の各種放電法やレーザ励起法等により、試料中に含まれる元素の濃度を算出する発光分析装置に関する。
【背景技術】
【０００２】
鉄鋼品種の多様化や高品質化や製鋼加工技術の発展に伴い、鉄鋼（固体金属試料）中に含まれる微量成分、特にマンガン、シリコン、硫黄、窒素、酸素、炭素等の元素の量を厳密にコントロールすることが要求されてきており、鉄鋼材や非鉄金属材等の生産工場等での製鋼・精練工程において、鉄鋼中に含まれる微量成分を定量することが重要になってきている。
【０００３】
そこで、近年、鉄鋼中に含まれる微量成分の定量を迅速に行うことができる発光分光分析方法が広く利用されるようになってきている。図５は、このような発光分光分析方法を用いる発光分析装置の一例を示す概略構成図である。なお、地面に水平な一方向をＸ方向とし、地面に水平でＸ方向と垂直な方向をＹ方向とし、Ｘ方向とＹ方向とに垂直な方向をＺ方向とする。
発光分析装置１０１は、開口部２ａが形成されている発光スタンド（放電室）２と、開口部２ａと対向する位置に設置された対向電極３と、各元素に特有な波長を有する輝線スペクトルに分光する分光器４と、輝線スペクトルの強度を検出する光検出器５と、発光分析装置１０１全体の制御を行うコンピュータ１１０とを備える（例えば特許文献１参照）。
【０００４】
発光スタンド２の上面には、円形状の開口部２ａが形成されており、対向電極３は、発光スタンド２の内部で、開口部２ａと対向する位置に設置されている。これにより、試料となる鉄鋼Ｓの下面が、開口部２ａを塞ぐように当接されて、対向電極３に電圧が印加されると、鉄鋼Ｓの下面と対向電極３との間でスパーク放電を行うことができるようになっている。
【０００５】
分光器４は、発光スタンド２の内部で、鉄鋼Ｓの下面と対向電極３との間でスパーク放電を行うことで発生した発光光が導入されるように配置されている。そして、分光器４は、発光光を、各元素に特有な波長を有する輝線スペクトルに分光する。
光検出器５は、各輝線スペクトルの強度をそれぞれ検出する複数の受光素子を有する。つまり、１個の受光素子は、対応付けられた元素に特有な波長を有する輝線スペクトルの強度を検出する。そして、複数の受光素子でそれぞれ検出された輝線スペクトルの強度は、コンピュータ１１０に出力されるようになっている。
【０００６】
放電室筐体部１５０は、上面と右側壁と前側壁と左側壁と後側壁とドア１５１とを有する筐体部を備える。そして、筐体部は、開口部２ａを覆うように発光スタンド２の上面に設置されており、筐体部と発光スタンド２の上面とで形成された空間内に、ドア１５１を開閉することで鉄鋼Ｓが配置されるようになっている。
【０００７】
このような発光分析装置１０１を用いて、鉄鋼Ｓ中に含まれる元素の濃度を算出するには、測定者は、まずドア１５１を開けた後、鉄鋼Ｓの下面が発光スタンド２の開口部２ａを塞ぐように鉄鋼Ｓを当接する。次にドア１５１を閉めた後、放電を行う入力信号を入力することで、対向電極３に電圧を印加することにより、鉄鋼Ｓの下面と対向電極３との間でアーク放電したりスパーク放電したりすることで発光させる。そして、発生した発光光を分光器４に導入することにより、分光器４で発光光を、各元素に特有な波長を有する輝線スペクトルに分光した後、光検出器５で輝線スペクトルの強度を検出している。
【０００８】
ところで、測定者は、ドア１５１を開けることで、鉄鋼Ｓを分析位置（開口部２ａ上）に配置したり分析位置から取り除いたりしている。そこで、発光分析装置１０１では放電を行うので、安全面からインターロック機構が設けられている。このインターロック機構として、例えば、ドア１５１が開いているか否かを判定するスイッチを筐体部に設け、コンピュータ１１０はドア１５１が開いているときには、測定者によって放電を行う入力信号が入力されても、放電不可となるようにしている。
【０００９】
一方、発光スタンド２の開口部２ａを塞ぐように鉄鋼Ｓを載せて試料押さえ機構により押さえ付ける発光分光分析装置も開示されている。
例えば、試料押さえ機構は、発光スタンド２に固定された支持体と、その支持体に対して鉛直軸方向へ摺動自在に、かつ、その軸周りに回動自在に支持されたシャフトと、このシャフトの下端部に係合する錘と、そのシャフトの上端部に固定されてシャフトから横方向に突出する持出部材と、その持出部材に固定されるとともに下向きに伸びて鉄鋼Ｓの上面を押圧する試料押棒とを備える（例えば特許文献２参照）。
【００１０】
そして、試料押さえ機構を備える発光分光分析装置では、インターロック機構として、例えば微弱な電流を試料押棒に常時流し、鉄鋼Ｓを押さえた際の導通を以て、コンピュータ１１０が、鉄鋼Ｓが開口部２ａを塞いでいるか否かを検出している。
【先行技術文献】
【特許文献】
【００１１】
【特許文献１】特開平１１−５１８６７号公報
【特許文献２】実用新案登録第３２００７１０号公報
【発明の概要】
【発明が解決しようとする課題】
【００１２】
しかしながら、上述した発光分光分析装置１０１では、複数の試料（鉄鋼）Ｓを分析する場合には、試料Ｓを分析する度に測定者がドア１５１を開閉する必要があり、利便性が非常に悪いという問題点があった。
一方、試料押さえ機構を備える発光分光分析装置では、試料Ｓが導通する前提となっているため、酸化被膜（黒皮等）を有する鉄鋼や、ナンバリングしたシールを貼った試料には使用できないという問題点があった。
そこで、本発明は、利便性がよく、様々な種類の試料を安全に分析可能な発光分析装置を提供することを目的とする。
【課題を解決するための手段】
【００１３】
上記課題を解決するためになされた本発明の発光分析装置は、開口部が形成されている発光スタンドと、前記発光スタンドの内部で、前記開口部と対向する位置に設置された対向電極と、前記開口部を塞ぐように試料を当接するための試料押さえ機構と、前記試料の下面と前記対向電極との間で放電を行うことで発生した発光光を検出する光検出器と、前記発光光に基づいて、前記試料中に含まれる元素を分析する制御部とを備える発光分析装置であって、前記試料押さえ機構が、上方に移動して前記試料の上面を下方に押圧することで、前記試料の下面を前記開口部を塞ぐように当接させる試料押棒と、前記試料押棒の上方への移動に連動して、ＯＮ／ＯＦＦ信号を前記制御部に出力するスイッチとを備え、前記制御部は、前記スイッチから出力されるＯＮ／ＯＦＦ信号に基づいて、前記試料の下面と前記対向電極との間で放電を行うか否かを判定するようにしている。
【００１４】
本発明の発光分析装置によれば、例えば、測定者が試料押棒を上方に移動させた後、試料の下面が開口部を塞ぐように当接させ、試料押棒で試料の上面を押圧する。このとき、スイッチは、試料押棒が上方に移動すると、ＯＮ信号を制御部に出力する。そして、制御部は、ＯＮ信号が入力されていれば、試料の下面と対向電極との間で放電を行うことを可能にする。これにより、測定者等が放電を行う入力信号を入力すると、制御部は放電を行う。
一方、試料の下面が開口部を塞ぐように当接されていないときには、試料押棒が下方位置に配置されていることになる。このとき、スイッチは、試料押棒が下方位置に配置されているため、ＯＦＦ信号を制御部に出力する。そして、制御部は、ＯＦＦ信号が入力されていれば、試料の下面と対向電極との間で放電を行うことを不可能にする。これにより、測定者等が誤って放電を行う入力信号を入力しても、制御部は放電を行わない。したがって、試料がない状態で放電が行われることがなく安全である。
【発明の効果】
【００１５】
以上のように、本発明の発光分析装置によれば、ドアを開ける必要がないため利便性がよく、様々な種類の試料を安全に分析することができる。
【００１６】
（他の課題を解決するための手段および効果）
また、上記の発明において、前記スイッチは、前記試料押棒が上方に移動することで、ＯＮ信号を出力して、前記制御部は、前記ＯＮ信号が入力されることで、前記試料の下面と前記対向電極との間で放電を行うことを可能にするようにしてもよい。
【００１７】
そして、上記の発明において、前記試料押さえ機構は、中央部に回転軸が形成され、前記試料押棒の上端部に右端部が連結された水平連結部材と、中央部に回転軸が形成され、前記水平連結部材の左端部に下端部が連結されるとともに前記スイッチのボタンに上端部が連結される垂直連結部材と、前記水平連結部材の左端部が上方に移動するように作用する弾性体とを備えるようにしてもよい。
本発明の発光分析装置によれば、試料押棒の押し込みとテコとを利用することによりコンパクト化することができる。
【００１８】
さらに、上記の発明において、前記試料押棒は、鉛直方向に対して傾斜しているようにしてもよい。
本発明の発光分析装置によれば、試料中の押圧位置（押圧点）を適宜に選択可能で多様な形状の試料に対応することができる。また、試料の押圧点が判りやすく、簡単な操作のもとに確実かつ安定した押圧力を得ることができるので、多様な形状の試料を正確かつ安定した力により押圧した状態で分析に供することができ、ひいては分析結果の信頼性を向上させることができる。
【図面の簡単な説明】
【００１９】
【図１】本発明に係る発光分析装置の一例を示す概略構成図。
【図２】試料押さえ機構の一例を示す斜視図。
【図３】持出ユニットの内部構成の一例を示す断面図。
【図４】持出ユニットの内部構成の一例を示す断面図。
【図５】従来の発光分析装置の一例を示す概略構成図。
【発明を実施するための形態】
【００２０】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２１】
図１は、本発明の実施形態に係る発光分析装置の一例を示す概略構成図である。なお、上述した発光分析装置１０１と同様のものについては、同じ符号を付すことにより説明を省略する。
発光分析装置１は、開口部２ａが形成されている発光スタンド（放電室）２と、開口部２ａと対向する位置に設置された対向電極３と、各元素に特有な波長を有する輝線スペクトルに分光する分光器４と、輝線スペクトルの強度を検出する光検出器５と、発光分析装置１全体の制御を行うコンピュータ１０と、試料Ｓを当接するための試料押さえ機構２０とを備える。
【００２２】
図２は、試料押さえ機構２０の一例を示す斜視図である。試料押さえ機構２０は、発光スタンド２に取り付けられ上方に伸びたシャフト部３０と、シャフト部３０の上端部に左部が固定されてシャフト部３０から右方（図１のＸ方向）に突出している略直方体形状の持出ユニット（持出部材部）４０とを備える。
【００２３】
シャフト部３０は、鉛直方向に伸びた下側円筒状体３１と、下側円筒状体３１の上部に取り付けられた上側体（ブロック）３２とを備える。そして、上側体３２は、ブッシュを有し、下側円筒状体３１に対して鉛直方向へ伸縮自在に、かつ、鉛直軸周りに回動自在に取り付けられている。
【００２４】
図３および図４は、持出ユニット４０の内部構成の一例を示す断面図である。持出ユニット４０は、略直方体形状のケース４９と試料押棒４１とを備え、ケース４９内には、水平連結部材４２と、垂直連結部材４３と、ＯＮ／ＯＦＦ信号を出力するマイクロスイッチ４４とが配置されている。
【００２５】
試料押棒４１は、鉛直方向（Ｚ方向）に対して傾斜するように伸びる円柱状体形状であり、ケース４９の右部に、上下方向に移動可能となるように取り付けられている。そして、試料押棒４１を上方に移動させた後（図４中の矢印１参照）、試料Ｓの下面が開口部２ａを塞ぐように当接させて、試料押棒４１が下方に移動することで試料押棒４１の下端部が試料Ｓの上面を下方に押圧するようになっている。
【００２６】
水平連結部材４２は、Ｘ方向に伸びた板金からなり、中央部に回転軸（Ｙ方向）４２ａが形成されており、右端部が試料押棒４１の上端部に連結されている。そして、水平連結部材４２の左端部が上方に移動するように作用するバネ（弾性体）４５が水平連結部材４２の左端部に取り付けられている。これにより、試料押棒４１が上方に移動すると、水平連結部材４２の右端部も上方に移動する結果、水平連結部材４２の左端部がバネ４５に対抗して下方に移動するようになっている（図４中の矢印２参照）。
【００２７】
垂直連結部材４３は、Ｌ字状の板金からなり、中央部に回転軸（Ｙ方向）４３ａが形成されており、下端部が水平連結部材４２の左端部に連結されるとともに、上端部がマイクロスイッチ４４のボタンに連結されている。これにより、水平連結部材４２の左端部が下方に移動すると、垂直連結部材４３の下端部が下方に移動する結果、垂直連結部材４３の上端部が右方に移動するようになっている（図４中の矢印３参照）。
【００２８】
マイクロスイッチ４４は、垂直連結部材４３の上端部が右方位置に配置されていると、ＯＮ信号をコンピュータ１０に出力する一方、垂直連結部材４３の上端部が左方位置に配置されていると、ＯＦＦ信号をコンピュータ１０に出力するようになっている。
【００２９】
コンピュータ１０においては、ＣＰＵ（制御部）１１と入力装置１２とを備える。また、ＣＰＵ１１が処理する機能をブロック化して説明すると、試料Ｓの下面と対向電極３との間で放電を行う分析実行部１１ａと、試料Ｓ中に含まれる元素を分析する分析算出部１１ｂと、試料Ｓの下面と対向電極３との間で放電を行うことを可能にするか否かを判定する判定部１１ｃとを有する。
【００３０】
判定部１１ｃは、マイクロスイッチ４４から出力されるＯＮ／ＯＦＦ信号に基づいて、試料Ｓの下面と対向電極３との間で放電を行うことを可能にするか否かを判定する制御を行う。具体的には、ＯＦＦ信号が入力されていると、試料Ｓの下面と対向電極３との間で放電を行うことを不可能とする不可能状態にし、ＯＮ信号が入力されることで、試料Ｓの下面と対向電極３との間で放電を行うことを可能とする可能状態にする。
【００３１】
分析実行部１１ａは、入力装置１２からの入力信号と、判定部１１ｃからの判定結果とに基づいて、対向電極３に電圧を印加する制御を行う。具体的には、入力信号が入力されても、判定結果が不可能状態であると、対向電極３に電圧を印加しない一方、入力信号が入力され、判定結果が可能状態であると、対向電極３に電圧を印加する。
【００３２】
ここで、発光分析装置１を用いて鉄鋼（試料）Ｓ中に含まれる元素の濃度を算出する分析方法について説明する。
まず、測定者は試料押棒４１を上方に移動させた後、鉄鋼Ｓの下面が発光スタンド２の開口部２ａを塞ぐように、鉄鋼Ｓを当接する。そして、試料押棒４１がバネ４５によって下方に移動することで、試料押棒４１の下端部で鉄鋼Ｓの上面を押圧する。次に、測定者は入力装置１２を用いて放電を行う入力信号を入力することで、対向電極３に電圧を印加することにより、鉄鋼Ｓの下面と対向電極３との間でアーク放電したりスパーク放電したりすることで発光させる。このとき、鉄鋼Ｓの下面が開口部２ａを塞ぐように当接していなければ、測定者が入力装置１２を用いて放電を行う入力信号を入力しても、不可能状態となっているので、対向電極３に電圧を印加することができない。
【００３３】
そして、対向電極３に電圧を印加したときには、発生した発光光を分光器４に導入することにより、分光器４で発光光を、各元素に特有な波長を有する輝線スペクトルに分光した後、光検出器５で輝線スペクトルの強度を検出する。
【００３４】
以上のように、本発明の発光分析装置１によれば、測定者はドアを開閉する必要がないため利便性がよく、様々な種類や形状の試料Ｓを安全に分析することができる。
【産業上の利用可能性】
【００３５】
本発明は、試料中に含まれる元素の濃度を算出する発光分析装置等に利用することができる。
【符号の説明】
【００３６】
１  発光分析装置
２  発光スタンド
２ａ  開口部
３  対向電極
５  光検出器
１１  制御部
２０  試料押さえ機構
４１  試料押棒
４４  マイクロスイッチ
Ｓ  試料
【図１】
2018054422.tif 000003
【図２】
2018054422.tif 000004
【図３】
2018054422.tif 000005
【図４】
2018054422.tif 000006
【図５】
2018054422.tif 000007